(57)【要約】      （修正有）【課題】光モジュールの小型化を図る。【解決手段】基板２００に搭載される第１の光学ブロック２０と、光ファイバ４００を保持する第２の光学ブロック４０と、板金部材６０とを備え、第２の光学ブロック４０は第１の光学ブロック２０と板金部材６０とによって挟まれて第１の光学ブロック２０上に搭載される。板金部材６０には一対のばね片６１が形成され、一対のばね片６１は板厚方向が基板２００の板面と平行とされ、幅方向が板面と垂直とされて第１の光学ブロック２０の両側面に沿うように延伸され、一対のばね片６１が両側面にそれぞれ形成されている係止部（突部３１）に引っ掛けられて発生するばね力により、第２の光学ブロック４０は第１の光学ブロック２０に対し、板面と垂直方向に押し付けられる。【選択図】図１
2018087915.tif 000002
【特許請求の範囲】
【請求項１】
基板に搭載される第１の光学ブロックと、
光ファイバを保持する第２の光学ブロックと、
金属部材とを備え、
前記第２の光学ブロックは前記第１の光学ブロックと前記金属部材とによって挟まれて前記第１の光学ブロック上に搭載され、
前記金属部材には一対のばね片が形成され、
前記一対のばね片は板厚方向が前記基板の板面と平行とされ、幅方向が前記板面と垂直とされて前記第１の光学ブロックの両側面に沿うように延伸されており、
前記一対のばね片が前記両側面にそれぞれ形成されている係止部に引っ掛けられて発生するばね力により、前記第２の光学ブロックは前記第１の光学ブロックに対し、前記板面と垂直方向に押し付けられていることを特徴とする光モジュール。
【請求項２】
請求項１記載の光モジュールにおいて、
前記金属部材は前記一対のばね片と、前記一対のばね片の延伸方向における中央部同士を連結する連結部とを備え、
各前記ばね片の両端には前記第２の光学ブロック上に位置する押さえ部が形成され、中央には前記係止部に引っ掛けられる被係止部が形成されていることを特徴とする光モジュール。
【請求項３】
請求項１記載の光モジュールにおいて、
前記金属部材は前記一対のばね片と、前記一対のばね片の延伸方向における中央部同士を連結して前記第２の光学ブロック上に位置する連結部とを備え、
各前記ばね片の両端には前記係止部に引っ掛けられる被係止部が形成されていることを特徴とする光モジュール。
【請求項４】
請求項１から３に記載のいずれかの光モジュールにおいて、
前記第１の光学ブロックは前記基板に実装された光素子が位置する空間を下面に有し、前記板面と４５°をなす反射面を備え、
前記第１の光学ブロックと前記第２の光学ブロック間の光の入出射方向は前記板面と平行とされていることを特徴とする光モジュール。
【発明の詳細な説明】
【技術分野】
【０００１】
この発明は光素子等と光ファイバとを光学的に接続するために用いる光モジュールに関する。
【背景技術】
【０００２】
図１４はこの種の光モジュールの従来例として特許文献１に記載されている構成を示したものであり、この例では光モジュールは第1の光学ブロック１１と第２の光学ブロック１２とよりなる。第１の光学ブロック１１は光素子１３が実装された基板１４に搭載固定され、光ファイバ１５を保持した第２の光学ブロック１２は第１の光学ブロック１１上に搭載されている。
【０００３】
光素子１３は第１の光学ブロック１１の底面に形成されている空間１１ａに位置し、第１の光学ブロック１１には光素子１３上に位置するようにレンズ１１ｂが形成されている。
【０００４】
第２の光学ブロック１２は第１の光学ブロック１１に上方から嵌合されて搭載され、この際、第２の光学ブロック１２に一体形成されている４つのばね片１２ａの先端に形成されている爪部１２ｂが第１の光学ブロック１１に形成されている段部１１ｃの上端に引っ掛かることで第１の光学ブロック１１と第２の光学ブロック１２とが互いに固定されている。
【０００５】
第２の光学ブロック１２の底面には凸部１２ｃが形成されており、凸部１２ｃは第１の光学ブロック１１の上面に形成されている凹部１１ｄに嵌合されている。凸部１２ｃには第１の光学ブロック１１のレンズ１１ｂと光軸が一致されてレンズ１２ｄが形成され、レンズ１２ｄ上に位置するように第２の光学ブロック１２の上面には反射面１２ｅが形成されている。
【０００６】
光素子１３は発光素子や受光素子とされる。光素子１３が例えば発光素子の場合、光素子１３から出射された光はレンズ１１ｂで平行光とされた後、レンズ１２ｄで集光され、反射面１２ｅで進行方向が９０°変換されて、第２の光学ブロック１２に基板１４と平行に保持されている光ファイバ１５に入射される。
【０００７】
このように第１の光学ブロック１１と第２の光学ブロック１２とよりなる光モジュールは、光素子１３と光ファイバ１５とを光学的に接続するものとなっており、第１の光学ブロック１１と第２の光学ブロック１２は共に光を透過する樹脂製とされ、樹脂成形によって形成される。
【先行技術文献】
【特許文献】
【０００８】
【特許文献１】特開２０１５−２１９２７３号公報
【発明の概要】
【発明が解決しようとする課題】
【０００９】
上述したように、第１の光学ブロック１１と第２の光学ブロック１２は樹脂成形によって形成され、第２の光学ブロック１２の両側縁部に位置するばね片１２ａも樹脂成形によって形成されるため、ばね片１２ａの成形加工性を確保し、かつ所要のばね力（保持力）を得るためには、ばね片１２ａの基板１４の板面と平行方向の幅を大きくせざるを得ず、ばね片１２ａの幅が大きくなる分、光モジュールも大きくなってしまうという問題があった。
【００１０】
この発明の目的はこの問題に鑑み、従来より小型化できるようにした光モジュールを提供することにある。
【課題を解決するための手段】
【００１１】
請求項１の発明によれば、光モジュールは基板に搭載される第１の光学ブロックと、光ファイバを保持する第２の光学ブロックと、金属部材とを備え、第２の光学ブロックは第１の光学ブロックと金属部材とによって挟まれて第１の光学ブロック上に搭載され、金属部材には一対のばね片が形成され、一対のばね片は板厚方向が基板の板面と平行とされ、幅方向が前記板面と垂直とされて第１の光学ブロックの両側面に沿うように延伸され、一対のばね片が前記両側面にそれぞれ形成されている係止部に引っ掛けられて発生するばね力により、第２の光学ブロックは第１の光学ブロックに対し、前記板面と垂直方向に押し付けられているものとされる。
【００１２】
請求項２の発明では請求項１の発明において、金属部材は一対のばね片と、一対のばね片の延伸方向における中央部同士を連結する連結部とを備え、各ばね片の両端には第２の光学ブロック上に位置する押さえ部が形成され、中央には係止部に引っ掛けられる被係止部が形成されているものとされる。
【００１３】
請求項３の発明では請求項１の発明において、金属部材は一対のばね片と、一対のばね片の延伸方向における中央部同士を連結して第２の光学ブロック上に位置する連結部とを備え、各ばね片の両端には係止部に引っ掛けられる被係止部が形成されているものとされる。
【００１４】
請求項４の発明では請求項１から３のいずれかの発明において、第１の光学ブロックは基板に実装された光素子が位置する空間を下面に有し、前記板面と４５°をなす反射面を備え、第１の光学ブロックと第２の光学ブロック間の光の入出射方向は前記板面と平行とされる。
【発明の効果】
【００１５】
この発明によれば、第２の光学ブロックを第１の光学ブロックに固定するばね片を、従来のように樹脂製の第２の光学ブロックに一体形成するのではなく、金属板で形成し、ばね片の板厚方向を基板の板面と平行として第１の光学ブロックの両側面に沿うように一対のばね片を設けている。よって、一対のばね片が配置されている方向の光モジュールの寸法を従来に比し、小さくすることができ、その分、光モジュールの小型化が可能となる。
【図面の簡単な説明】
【００１６】
【図１】この発明による光モジュールの第１の実施例が基板に搭載された状態を示す斜視図。
【図２】Ａは図１に示した状態の光モジュールの平面図、Ｂはその正面図、ＣはＡのＥ−Ｅ線断面図、ＤはＡのＦ−Ｆ線断面図。
【図３】Ａは図１における第１の光学ブロックの平面図、Ｂはその正面図、Ｃはその右側面図、Ｄはその斜視図、ＥはＡのＦ−Ｆ線断面図。
【図４】Ａは図１における第２の光学ブロックの平面図、Ｂはその正面図、Ｃはその斜め上方から見た斜視図、Ｄはその斜め下方から見た斜視図、ＥはＡのＦ−Ｆ線断面図。
【図５】Ａは図１における板金部材の平面図、Ｂはその正面図、Ｃはその斜視図、ＤはＡのＥ−Ｅ線断面図。
【図６】図１に示した光モジュールの組立てを説明するための図。
【図７】この発明による光モジュールの第２の実施例が基板に搭載された状態を示す斜視図。
【図８】Ａは図７に示した状態の光モジュールの平面図、Ｂはその正面図、ＣはＡのＥ−Ｅ線断面図、ＤはＢのＦ−Ｆ線断面図。
【図９】Ａは図７における第１の光学ブロックの平面図、Ｂはその正面図、Ｃはその斜視図。
【図１０】Ａは図７における第２の光学ブロックの平面図、Ｂはその正面図、Ｃはその斜め上方から見た斜視図、Ｄはその斜め下方から見た斜視図、ＥはＡのＦ−Ｆ線断面図。
【図１１】Ａは図７における板金部材の平面図、Ｂはその正面図、Ｃはその斜視図。
【図１２】図７に示した光モジュールの組立てを説明するための図。
【図１３】第１の光学ブロックの係止部及び板金部材のばね片の被係止部の各種構成を説明するための図。
【図１４】Ａは光モジュールの従来例を示す斜視図、Ｂはその断面図。
【発明を実施するための形態】
【００１７】
この発明の実施形態を図面を参照して実施例により説明する。
【実施例１】
【００１８】
図１及び図２はこの発明による光モジュールの実施例１が基板に搭載された状態を示したものであり、光モジュール１００は第１の光学ブロック２０と第２の光学ブロック４０と板金部材６０とよりなる。図３〜５はこれら第１の光学ブロック２０、第２の光学ブロック４０及び板金部材６０の詳細構造を示したものであり、まずこれら図３〜５を参照して第１の光学ブロック２０、第２の光学ブロック４０及び板金部材６０の構造について説明する。
【００１９】
第１の光学ブロック２０は図３に示したように矩形板状をなす基部２１を備え、基部２１上には一対の突出部２２が突出形成され、さらに大きな台状をなす台状部２３が突出形成されている。なお、以下においては、第１の光学ブロック２０の矩形板状をなす基部２１の矩形の短辺方向をＸ方向、長辺方向をＺ方向とし、基部２１の上面２１ａと垂直方向をＹ方向として説明する。Ｘ方向、Ｙ方向は図１及び図２に示した基板２００の板面と平行であり、Ｚ方向は基板２００の板面と垂直である。
【００２０】
台状部２３は平面形状が矩形とされ、基部２１のＺ方向における一方の半部側に設けられている。台状部２３のＸ方向の幅は基部２１のＸ方向の幅（短辺の長さ）より小とされ、台状部２３のＸ方向両側には基部２１の上面２１ａが所定幅存在している。
【００２１】
台状部２３が位置する部分における基部２１の下面２１ｂには素子収容用の空間２４が形成されており、この空間２４の天面には集光用のレンズ２５が形成されている。レンズ２５はこの例では４つ、図３Ｅに示した位置においてＸ方向に配列されて形成されている。台状部２３の上面におけるＺ方向内端側部分には１段低い段部２６が形成されており、この段部２６には空間２４と連通する開口２７が形成されている。開口２７の内面におけるレンズ２５の上方に位置する部分には反射面２８が形成されている。
【００２２】
台状部２３のＺ方向内端側の側面２３ａには図３Ｃに示したようにコ字形状をなす凸部２９がコ字の開口部が上方に向いて突出形成されている。凸部２９のＸ方向における互いの外側面の上端には傾斜面２９ａが形成されており、また残余の外側面にはリブ状をなす突起２９ｂがＹ方向に伸長してそれぞれ形成されている。
【００２３】
一対の突出部２２は平面形状が矩形とされ、基部２１における台状部２３が位置する側と反対側の半部に設けられている。一対の突出部２２は基部２１のＺ方向の端面２１ｃよりやや内側に、基部２１のＺ方向に沿う側面２１ｄ，２１ｅにそれぞれ沿って設けられている。これら一対の突出部２２間には基部２１の上面２１ａが存在し、またＺ方向において台状部２３が位置する位置と一対の突出部２２が位置する位置との間にも基部２１の上面２１ａがＸ方向全長に渡って存在している。なお、基部２１の両側面２１ｄ，２１ｅにおけるＺ方向中央部には係止部として突部３１が互いに外向きに突出して形成されている。
【００２４】
上記のような構造を有する第１の光学ブロック２０は光を透過する樹脂製とされ、樹脂成形により形成される。
【００２５】
第２の光学ブロック４０は図４に示したように略直方体状をなす保持部４１と一対の延長部４２と一対の突出部４３とを備える。保持部４１の下面４１ａには保持部４１のＺ方向の一方の端面４１ｂから他方の端面４１ｃの近くまで凹部４４が形成され、凹部４４の内端側には一段高くされた段部４５が形成されている。段部４５にはＶ溝４６がＺ方向に伸長して形成されている。Ｖ溝４６はこの例では４本形成されている。なお、凹部４４のＺ方向における端面４１ｂ側はＸ方向の幅が狭められている。
【００２６】
保持部４１の端面４１ｃには下面４１ａ側に開放されて凹部４７が形成されている。端面４１ｃと平行な凹部４７の底面４７ａには４本のＶ溝４６の各延長上に位置するようにレンズ４８が４つ形成されている。
【００２７】
一対の延長部４２は保持部４１のＺ方向に沿う側面４１ｄ，４１ｅから側面４１ｄ，４１ｅに沿ってＺ方向に延長されて形成され、基端は保持部４１の端面４１ｃ寄りに位置し、先端は端面４１ｃより大きく突出されている。一対の延長部４２の上面４２ａには１段高い段部４９が先端寄りに形成されている。一対の延長部４２の互いの外側面４２ｂには突部５１が互いに外向きに突出して形成されており、突部５１のＹ方向上方に向く側面は傾斜面５１ａとされている。突部５１は第２の光学ブロック４０のＺ方向の全長の中央に位置し、この突部５１が位置する部分より先端側の延長部４２の下面は先端がＹ方向上方に位置するようにわずかに傾斜した傾斜面４２ｃとされている。なお、一対の延長部４２の基端側の端面４２ｄにはリブ状をなす突起５２がＹ方向に伸長して形成されている。
【００２８】
一対の突出部４３は保持部４１の端面４１ｂ側に端面４１ｄ，４１ｅから互いに外向きに突出されて形成されている。保持部４１の上面４１ｆに対し、延長部４２の上面４２ａ及び突出部４３の上面４３ａはＹ方向において低くされている。一方、延長部４２の傾斜面４２ｃより基端側の下面４２ｅ及び突出部４３の下面４３ｂは保持部４１の下面２１ａと同一平面上に位置されている。
【００２９】
第２の光学ブロック４０は第１の光学ブロック２０と同様、光を透過する樹脂製とされ、樹脂成形により形成される。
【００３０】
板金部材６０はばね性を有する金属板よりなり、図５に示したように一対のばね片６１と連結部６２とを備える。一対のばね片６１は板厚方向がＸ方向とされ、幅方向がＹ方向とされ、Ｚ方向に互いに平行に延伸されて形成されている。一対のばね片６１のＺ方向両端部には、ばね片６１からＹ方向上方にわずかに延長された後、互いに内向きに突出するように折り曲げられてなる押さえ部６３がそれぞれ形成されており、Ｚ方向中央部には窓６４が形成されている。
【００３１】
連結部６２は押さえ部６３が形成されている側において、一対のばね片６１のＺ方向における中央部同士を連結しており、Ｙ方向に直交する平板部６２ａを有する。平板部６２ａはばね片６１のＺ方向における中央部よりＺ方向の一方の側に延びた形状となっている。なお、ばね片６１は窓６４が形成されている中央部から押さえ部６３が形成されている端部に向かって徐々に幅が狭くされている。
【００３２】
図６は光モジュール１００の組立て、基板２００への搭載を示したものである。
【００３３】
第１の光学ブロック２０は基板２００に搭載されて接着固定される。基板２００には図２Ｃに示したように光素子３００が実装されており、第１の光学ブロック２０はレンズ２５が光素子３００の上方に位置するように、即ち光素子３００の光軸とレンズ２５の光軸が一致されて基板２００上に搭載固定される。光素子３００は第１の光学ブロック２０に形成されている空間２４に収容位置される。
【００３４】
第２の光学ブロック４０の４本のＶ溝４６には光ファイバ４００が搭載されて位置決め固定され、光ファイバ４００を保持した第２の光学ブロック４０がＹ方向上方から第１の光学ブロック２０に取り付けられる。第２の光学ブロック４０は保持部４１、一対の延長部４２及び一対の突出部４３が共に第１の光学ブロック２０の基部２１の上面２１ａに位置するように嵌め込まれる。この際、第１の光学ブロック２０の突起２９ｂを備えた凸部２９は第２の光学ブロック４０の凹部４７に圧入され、これにより第１の光学ブロック２０と第２の光学ブロック４０のＸ方向の位置決めがなされる。
【００３５】
一方、第２の光学ブロック４０における突起５２を備えた図４Ａ中、ａで示した部分は第１の光学ブロック２０における図３Ａ中、ｂで示した部分に圧入され、これにより第２の光学ブロック４０の保持部４１の端面４１ｃが第１の光学ブロック２０の台状部２３の側面２３ａに押し付けられて第１の光学ブロック２０と第２の光学ブロック４０のＺ方向の位置決めがなされる。
【００３６】
上記のように第２の光学ブロック４０が取り付けられた第１の光学ブロック２０に対し、板金部材６０がＹ方向上方から取り付けられ、これにより図１及び図２に示したように基板２００上に光モジュール１００が搭載された状態となる。
【００３７】
板金部材６０は平板部６２ａを第２の光学ブロック４０における図４Ａ中、ｃで示した部分に位置させ、４つの押さえ部６３を第２の光学ブロック４０の一対の延長部４２の先端上及び一対の突出部４３上に位置させた状態で、一対のばね片６１の窓６４を第１の光学ブロック２０の突部３１に引っ掛けることにより取り付けられる。なお、第２の光学ブロック４０の傾斜面５１ａを備えた突部５１は第１の光学ブロック２０の突部３１上に重なるように位置しており、このような傾斜面５１ａを備えた突部５１が存在することによって突部３１へのばね片６１の引っ掛けを容易に行うことができる。
【００３８】
このように板金部材６０を取り付けることにより、第２の光学ブロック４０は第１の光学ブロック２０と板金部材６０とによって挟まれて第１の光学ブロック２０上に搭載される。第２の光学ブロック４０はばね片６１のばね力により第１の光学ブロック２０に対し、Ｙ方向に押し付けられ、これにより第１の光学ブロック２０と第２の光学ブロック４０のＹ方向の位置決めがなされる。なお、第２の光学ブロック４０の保持部４１の下面４１ａを第１の光学ブロック２０の基部２１の上面２１ａに押し付ける（突き当てる）ための所要のばね力（押し付け力）を得るべく、図５Ｄに示した押さえ部６３の下面から窓６４の底辺までのＹ方向の寸法ｄ１は図３Ｂに示した基部２１の上面２１ａから突部３１の下面までの寸法ｄ２と図４Ｂに示した延長部４２の先端及び突出部４３のＹ方向の寸法（厚さ）ｄ３との和より所定量小さくされる。
【００３９】
第１の光学ブロック２０と第２の光学ブロック４０は上述したように位置決めされ、第１の光学ブロック２０の台状部２３と第２の光学ブロック４０の保持部４１は高い精度をもって組み立てられる。これにより、基板２００に実装された光素子３００と第２の光学ブロック４０に保持された光ファイバ４００とは高い光結合効率で（低損失で）光接続される。光素子３００はＶＣＳＥＬ（Ｖｅｒｔｉｃａｌ  Ｃａｖｉｔｙ  Ｓｕｒｆａｃｅ  Ｅｍｉｔｔｉｎｇ  Ｌａｓｅｒ）等の発光素子やＰＤ（Ｐｈｏｔｏ  Ｄｉｏｄｅ）等の受光素子とされ、この例では最大４つの光素子３００と光ファイバ４００とが光接続される。
【００４０】
光素子３００を例えばＶＣＳＥＬとした場合、光素子３００から出射された出射光はレンズ２５により平行光となり、平行光は基板２００の板面と４５°をなす反射面２８で進行方向が９０°変換されて台状部２３の側面２３ａから出射する。側面２３ａから出射された平行光は空間を通って保持部４１のレンズ４８に達し、レンズ４８で集光されて光ファイバ４００の端面に入射される。このようにこの例ではレンズ２５，４８と反射面２８を介して光素子３００と光ファイバ４００とが光学的に接続されるものとなっており、第１の光学ブロック２０の台状部２３と第２の光学ブロック４０の保持部４１間の光の入出射方向は基板２００の板面と平行なＺ方向となっている。
【００４１】
以上、この発明による光モジュールの実施例１の構成について説明したが、上述した実施例１の光モジュール１００によれば、以下に示すような効果を得ることができる。
【００４２】
（１）第２の光学ブロック４０を第１の光学ブロック２０に押し付けるための荷重を発生するばね片６１を板金で形成し、ばね片６１の板厚方向を基板２００の板面と平行とし、一対のばね片６１を第１の光学ブロック２０の基部２１の両側面２１ｄ，２１ｅに沿うように配置している。よって、基板２００の板面と平行なＸ方向においてばね片６１が占める寸法（領域）を、図１３に示した従来の樹脂製のばね片を有する光モジュールに比し、大幅に小さくすることができ、その分、光モジュールの小型化が可能となる。
【００４３】
（２）ばね片６１は幅方向が基板２００の板面と垂直とされ、幅方向が荷重方向となっているため、十分な押し付け荷重を得ることができる。
【００４４】
（３）光モジュール１００は基板２００の板面と垂直方向（Ｙ方向）上方から、第１の光学ブロック２０に第２の光学ブロック４０及び板金部材６０を順次嵌め込んで組み立てることができるため、容易に組み立てることができる。
【００４５】
（４）第２の光学ブロック４０は第１の光学ブロック２０に対し、Ｙ方向に押し付けられ、Ｙ方向（組立方向）においても高い位置決め精度が得られるため、上述した構成のように第１の光学ブロック２０と第２の光学ブロック４０の光学的接続方向を基板２００の板面と平行なＺ方向とすることができ、その点で光モジュールの低背化も可能となる。
【００４６】
（５）前述したように、第１の光学ブロック２０の突部３１へのばね片６１の引っ掛けを容易とすべく、突部３１の上に重なるように設けた第２の光学ブロック４０の突部５１に傾斜面５１ａ（面取り）を設けている。これにより、突部３１には傾斜面を設けなくてもよいため、ばね片６１を引っ掛ける係止部としての突部３１の強度を向上させることができる。なお、第２の光学ブロック４０の突部５１は、例えば突部３１に傾斜面を設けても強度が確保される場合にはなくてもよい。
【００４７】
（６）第２の光学ブロック４０の一対の延長部４２の下面は傾斜面４２ｃとしている。これにより、成形時、延長部４２に反りが生じたとしても、第１の光学ブロック２０への第２の光学ブロック４０の押し付けにおいて、反りの影響を受けないようにしている。
【００４８】
（７）板金部材６０の平板部６２ａは図２Ｃに示したように第２の光学ブロック４０の開口２７を蓋するため、光素子３００が位置する空間２４への異物の侵入を防止することができる。
【実施例２】
【００４９】
図７及び図８はこの発明による光モジュールの実施例２が基板に搭載された状態を示したものであり、光モジュール５００は第１の光学ブロック２０’と第２の光学ブロック４０’と板金部材６０’とよりなる。図９〜１１はこれら第１の光学ブロック２０’、第２の光学ブロック４０’及び板金部材６０’の詳細構造を示したものであり、まずこれら図９〜１１を参照して第１の光学ブロック２０’、第２の光学ブロック４０’及び板金部材６０’の構造について説明する。なお、実施例１の第１の光学ブロック２０、第２の光学ブロック４０及び板金部材６０の構造と対応する部分には同一符号を付し、その詳細な説明を省略する。
【００５０】
第１の光学ブロック２０’は図９に示したような構造とされ、実施例１の第１の光学ブロック２０の構造に対し、台状部２３の、段部２６が形成されていないＺ方向外端側部分のＸ方向の幅が大とされ、基部２１のＸ方向の幅と等しくされている。一対の突出部２２は基部２１のＺ方向の端面２１ｃに沿って設けられている。基部２１の両側面２１ｄ，２１ｅにおけるＺ方向中央部には実施例１と異なり、突部３１はなく、この例では基部２１の両側面２１ｄ，２１ｅのＺ方向両端部にそれぞれ位置するように突部３２が設けられている。突部３２は台状部２３及び突出部２２の側面にそれぞれ延びて形成されており、突部３２のＹ方向上方に向く側面は傾斜面３２ａとされている。
【００５１】
なお、図９では示されていないが、第２の光学ブロック２０’は実施例１の第１の光学ブロック２０と同様、空間２４及びレンズ２５（図８Ｃ参照）を備えている。
【００５２】
第２の光学ブロック４０’は図１０に示したような構造とされる。第２の光学ブロック４０’は実施例１の第２の光学ブロック４０における一対の突出部４３がなく、また一対の延長部４２は保持部４１の端面４１ｃからの突出長さが短く、さらに一対の延長部４２の上面４２ａ及び互いの外側面４２ｂにはそれぞれ段部４９及び突部５１がない構造とされている。
【００５３】
板金部材６０’は図１１に示したように、実施例１の板金部材６０と同様、一対のばね片６１と連結部６２とを備えている。一対のばね片６１には実施例１のばね片６１と異なり、押さえ部６３はなく、またＺ方向中央部には窓６４もなく、この例ではＺ方向両端にそれぞれ窓６５が形成されたものとなっている。ばね片６１の両端にはやや幅広とされて幅広部６６が形成されており、窓６５はこの幅広部６６に形成されている。
【００５４】
一方、連結部６２にはＺ方向の一方の側に延びた形状を有する平板部６２ａに加え、ばね片６１のＺ方向における中央部よりＺ方向の他方の側に延びた形状を有する一対の平板部６２ｂが形成されている。一対の平板部６２ｂは平板部６２ａとで平面コ字形状をなすように形成されている。
【００５５】
図１２は実施例１における図６と同様、光モジュール５００の組立て、基板２００への搭載を示したものである。
【００５６】
実施例１と同様、第１の光学ブロック２０’は光素子３００が実装された基板２００に搭載されて接着固定され、光ファイバ４００が搭載された第２の光学ブロック４０’がＹ方向上方から第１の光学ブロック２０’に取り付けられる。第２の光学ブロック４０’は保持部４１、一対の延長部４２が第１の光学ブロック２０’の基部２１の上面２１ａに位置するように嵌め込まれる。この際、第１の光学ブロック２０’の突起２９ｂを備えた凸部２９は第２の光学ブロック４０’の凹部４７に圧入され、これにより第１の光学ブロック２０’と第２の光学ブロック４０’のＸ方向の位置決めがなされる。
【００５７】
一方、第２の光学ブロック４０’における突起５２を備えた図１０Ａ中、ａで示した部分は第１の光学ブロック２０’における図９Ａ中、ｂで示した部分に圧入され、これにより第２の光学ブロック４０’の保持部４１の端面４１ｃが第１の光学ブロック２０’の台状部２３の側面２３ａに押し付けられて第１の光学ブロック２０’と第２の光学ブロック４０’のＺ方向の位置決めがなされる。
【００５８】
上記のように第２の光学ブロック４０’が取り付けられた第１の光学ブロック２０’に対し、板金部材６０’がＹ方向上方から取り付けられ、これにより図７及び図８に示したように基板２００上に光モジュール５００が搭載された状態となる。
【００５９】
板金部材６０’は平板部６２ａと６２ｂとで平面コ字形状をなす部分を第１の光学ブロック２０’の段部２６及び第２の光学ブロック４０’の一対の延長部４２上に位置させた状態で、一対のばね片６１の窓６５を第１の光学ブロック２０’の突部３２に引っ掛けることにより取り付けられる。突部３２には傾斜面３２ａが設けられているため、容易にばね片６１を引っ掛けることができる。
【００６０】
このように板金部材６０’を取り付けることにより、第２の光学ブロック４０’は第１の光学ブロック２０’と板金部材６０’とによって挟まれて第１の光学ブロック２０’上に搭載される。第２の光学ブロック４０’はばね片６１のばね力により第１の光学ブロック２０’に対し、Ｙ方向に押し付けられ、これにより第１の光学ブロック２０’と第２の光学ブロック４０’のＹ方向の位置決めがなされる。なお、第２の光学ブロック４０’の保持部４１の下面４１ａを第１の光学ブロック２０’の基部２１の上面２１ａに押し付けるための所要のばね力を得るべく、図１１Ｂに示した平板部６２ａ，６２ｂの下面から窓６５の底辺までのＹ方向の寸法ｄ４は、図９Ｂに示した基部２１の上面２１ａから突部３２の下面までの寸法ｄ５と図１０Ｂに示した延長部４２のＹ方向の寸法（厚さ）ｄ６との和より所定量小さくされる。
【００６１】
第１の光学ブロック２０’と第２の光学ブロック４０’は上述したように位置決めされ、高い精度をもって組み立てられる。これにより、基板２００に実装された光素子３００と第２の光学ブロック４０’に保持された光ファイバ４００とは実施例１と同様の光路で高い光結合効率で光接続される。
【００６２】
以上、この発明による光モジュールの実施例２の構成について説明したが、実施例１と実施例２は板金部材のばね片６１の形状及び第１の光学ブロックへのばね片６１の引っ掛け方が異なり、さらに第２の光学ブロックの保持部４１の下面４１ａを第１の光学ブロックの基部２１の上面２１ａに押し付けるために力を加える位置が異なるものとなっている。なお、この実施例２においても前述の実施例１において記載した（１）〜（４）及び（７）の効果を同様に得ることができる。
【００６３】
上述した実施例１,２では、いずれも板金部材を使用しているが、板金を折り曲げて加工した部材に限るものではなく、金属部材で同様の形状とばね性を有するものであれば使用できる。
【００６４】
また、上述した実施例１，２では、いずれもばね片を引っ掛ける係止部として第１の光学ブロックに突部を形成し、係止部に引っ掛けられる被係止部としてばね片に窓を形成しているが、係止部及び被係止部の構成はこれに限るものではない。
【００６５】
図１３は係止部及び被係止部の各種構成例を示したものであり、図１３Ａは上述した実施例２の構成を示し、図１３Ｂ，Ｃはそれぞれ他の構成例を示したものである。なお、図１３ではばね片６１及び第１の光学ブロックの基部２１の要部のみを模式的に示している。
【００６６】
図１３Ｂはばね片６１を切り起して切り起し片６７を形成し、第１の光学ブロックの基部２１には切り起し片６７が入り込む凹部３３を形成して、凹部３３の上端の内壁面３３ａに切り起し片６７の先端が引っ掛かるようにしたものであり、凹部３３の上方には切り起し片６７の凹部３３への収容を容易に行えるように傾斜面３４を設けている。
【００６７】
一方、図１３Ｃはばね片６１を延長して折り返し片６８を形成し、基部２１は図１３Ｂと同様の構成として、折り返し片６８の先端が凹部３３の上端の内壁面３３ａに引っ掛かるようにしたものである。
【００６８】
第１の光学ブロックの係止部とばね片の被係止部はこれら図１３Ｂや図１３Ｃに示したような構成としてもよく、様々な構成を採用することができる。
【符号の説明】
【００６９】
１１    第１の光学ブロック                  １１ａ    空間
１１ｂ    レンズ                            １１ｃ    段部
１１ｄ    凹部                              １２    第２の光学ブロック
１２ａ    ばね片                            １２ｂ    爪部
１２ｃ    凸部                              １２ｄ    レンズ
１２ｅ    反射面                            １３    光素子
１４    基板                                １５    光ファイバ
２０，２０’    第１の光学ブロック          ２１    基部
２１ａ    上面                              ２１ｂ    下面
２１ｃ    端面                              ２１ｄ，２１ｅ    側面
２２    突出部                              ２３    台状部
２３ａ    側面                              ２４    空間
２５    レンズ                              ２６    段部
２７    開口                                ２８    反射面
２９    凸部                                ２９ａ    傾斜面
２９ｂ    突起                              ３１，３２    突部
３２ａ    傾斜面                            ３３    凹部
３３ａ    内壁面                            ３４    傾斜面
４０，４０’    第２の光学ブロック          ４１    保持部
４１ａ    下面                              ４１ｂ，４１ｃ    端面
４１ｄ，４１ｅ    側面                      ４１ｆ    上面
４２    延長部                              ４２ａ    上面
４２ｂ    外側面                            ４２ｃ    傾斜面
４２ｄ    端面                              ４２ｅ    下面
４３    突出部                              ４３ａ    上面
４３ｂ    下面                              ４４    凹部
４５    段部                                ４６    Ｖ溝
４７    凹部                                ４７ａ    底面
４８    レンズ                              ４９    段部
５１    突部                                ５１ａ    傾斜面
５２    突起                                ６０，６０’    板金部材
６１    ばね片                              ６２    連結部
６２ａ，６２ｂ    平板部                    ６３    押さえ部
６４，６５    窓                            ６６    幅広部
６７    切り起し片                          ６８    折り返し片
１００    光モジュール                      ２００    基板
３００    光素子                            ４００    光ファイバ
５００    光モジュール
【図１】
2018087915.tif 000003
【図２】
2018087915.tif 000004
【図３】
2018087915.tif 000005
【図４】
2018087915.tif 000006
【図５】
2018087915.tif 000007
【図６】
2018087915.tif 000008
【図７】
2018087915.tif 000009
【図８】
2018087915.tif 000010
【図９】
2018087915.tif 000011
【図１０】
2018087915.tif 000012
【図１１】
2018087915.tif 000013
【図１２】
2018087915.tif 000014
【図１３】
2018087915.tif 000015
【図１４】
2018087915.tif 000016